Podtech/llm-jp-corpus-v4-ja_patent huggingface dataset:
(57)【要約】      （修正有）【課題】家庭、ピクニツク、運動会などの野外活動時、又、病人の介護時とか、被災害地での非常時用として何処にでも携帯して、就寝、休息、仮眠の為に使用する枕の提供。【解決手段】大１と、小２をサイズを違えて同形のトンネル形にして合成樹脂で成形する。大は、長さ２０ｃｍ，巾１３ｃｍ，高さ１０ｃｍで、小は長さ１９ｃｍ，巾１２ｃｍ，高さ９ｃｍにして作る。本体枕の緩衝用になる当て布は、寸法を、長さ２５ｃｍ，巾２０ｃｍ，厚さ１ｃｍにして、ウレタン板、又は、タオルを折重ねて、同寸で２組作る。枕を使用する時には、当て布を枕本体の上部に覆う様に被せて使用する。第六図の当て布は、解り易くする為、サイズを小さくして描いてある。【選択図】図５
0003112604.tif 000002
【実用新案登録請求の範囲】
【請求項１】
本考案は、枕本体（１）：（２）の内側を空洞にしたトンネル形の無反発性の枕の形状である。
【考案の詳細な説明】
【考案の詳細な説明】
【産業上の利用分野】
考案は、家庭内とか、ピクニツク、運動会など野外活動時、又、病人の介護時に、携帯して就寝、休息、仮眠の為に枕として使用する。
【背景技術】  （イ）普通寝室以外で枕が欲しい時など、普通の枕は、かさばるので持運びが面倒である。  （ロ）寝室以外で枕を使用する時、汚す心配があって困る場合がある。  （ハ）普通の枕は、使用中、頭の重みで変形し易く寝苦しくなる。  （ニ）外出先で、枕を２ケ欲しいと思つても２ケの枕を携帯するには、かさばるので困る場合がある。
【課題を解決する為の手段】
（イ）考案は、枕本体（ｉ）の内側を空洞にしてトンネル形に合成樹脂で成形して、軽く、小さく、丈夫にし、通常の手提げ袋とか、又は、スーパーの空袋にでも入れて容易に携帯できる様にした。  （ロ）考案は、寝室以外で使用して汚れても、簡単に清掃、洗浄できる様に合成樹脂製にした。  （ハ）考案は、通常の枕では変形し易いので、合成樹脂製で、無反発性にして、使用するには緩衝用として、ウレタン板、又は、タオルを折重ねて、枕あて、にして使用する様にした。  （ニ）家庭以外の活動で、就寝、休息、仮眠の為に、枕を２ケ欲しい時があるので、考案は、第五図の様に、枕本体（１）；（２）を同形大小にして２ケ作り、大の枕の中に、小の枕を、すつぽり入れて持運び、使う時に大から小の枕を引出して、２ケにして使用できる様にした。
【作用】
考案は、枕本体（１）：（２）を寸法違いにして、大と小を同形トンネル形２ケを合成樹脂で作り、枕本体（１）の空洞部（３）の中に、枕本体（２）を第五図の様に、すつぽり入れて１つにまとめる。  寸法は、大の枕本体（１）は、長さ２０ｃｍ，巾１３ｃｍ，高さ１０ｃｍにし、小の枕は、長さ１９ｃｍ，巾１２ｃｍ，高さ９ｃｍにして作る。  そして、小の枕を、大の本体空洞部（３）の中に、第五図の様に、すつぽり入れて収納し、２ケの枕を１つにまとめ、それを普通の手提げ袋または、スーパーの空袋の中に入れて携帯できる様にした。  枕本体は合成樹脂製で固く、無反発性である為、枕の上部には、本体寸法より少し大き目に当布を作り、第六図の様に緩衝用とする。  当布の寸法は、長さ２５ｃｍ，巾２０ｃｍ，厚さ１ｃｍのウレタン板、または、タオルを折たたんで作り、これを枕を覆うように被せて使用する。    第六図に示した当布は、解り易く示す為、小さく画いてある。
【実施例】    （イ）考案の枕は、同形大小２ケで構成されている、使用前は、本体大（１）の空洞部（３）に本体小（２）を収納して、１つにまとめてある。  枕１ケだけを使用する場合は、そのまま使用する、  枕２ケを使用したい時は、大（１）の中から小（２）を引出して２ケの枕にして使用する。    （ロ）考案の枕を使用する時は、枕は合成樹脂製で固く、無反発性であるから、枕の上部には緩衝用として、当て布を枕本体を覆う様に被せて使用する。  当て布には、本体から滑り外れないように両端部を、紐または、マジツクテープを用いて固定させて使用する。    （ハ）使用後は、小（２）を、大（１）の空洞部（３）の中に、すつぽり入れて収納し、大と小を１つにまとめる。  そして当て布（４）は、枕の空洞部（３）に折曲げて押込み収納する。    （ニ）持運ぶ時は、通常の手提げ袋または、スーパーの空袋を利用して、その中に入れて何処にでも携帯する。    （ホ）考案の枕は、家庭、ピクニツク、運動会などの野外活動時、又、病人の介護時とか、被災害地での非常時用に携帯して、就寝、休息、仮眠用に活用する。
【考案の効果】
（イ）考案の枕は、合成樹脂製で、軽く、小さく、丈夫である、又、持運ぶ時も、通常の手提げ袋または、スーパーの空袋にも入るので、何処にでも容易に携帯できる。    （ロ）考案の枕は、汚れても清掃、洗浄が簡単にできる。    （ハ）考案の枕は、大と小２ケが１つにまとめてあるから、大から小を引出して２ケの枕にして使用できる。    （ニ）考案の枕は、無反発性であるから、低反発性よりも確実に頭の重みを受止めてくれるので、疲れを緩和し、安眠できる。
【図面の簡単な説明】
【第１図】
正面図（背面図も同じに表れる）
【第２図】
左側面図（右側面図も同じに表れる）
【第３図】
平面図（底面図も同じに表れる）
【第４図】
斜視図
【第５図】
実施例１  『本体大（１）の空洞部（３）に本体小（２）を収納した状態』
【第６図】
実施例２  『当て布（４）を用いた時の状態』
【符号の説明】
１、  本体（大）２、  本体（小で、大と同形であるが、サイズが小さい）３、  本体の空洞部分（大小同じ形）４、  緩衝用の当て布（図面には解り易い様にサイズを実物より小さく画いてある）
【図１】
0003112604.tif 000003
【図２】
0003112604.tif 000004
【図３】
0003112604.tif 000005
【図４】
0003112604.tif 000006
【図５】
0003112604.tif 000007
【図６】
0003112604.tif 000008
【手続補正書】
【提出日】平成17年4月11日(2005.4.11)
【手続補正１】
【補正対象書類名】実用新案登録請求の範囲
【補正対象項目名】全文
【補正方法】変更
【補正の内容】
【実用新案登録請求の範囲】
【請求項１】
本考案は、同じ形状のもので、寸法の大きい枕本体（１）と、寸法を枕本体（１）より一回り小さくした枕本体（２）で構成し、枕本体（１）の空洞部分（３）の中に、枕本体（２）をすつぽりと、はめこんで、枕本体（１）（２）を一つにまとめて、かさばらないようにして、持運び易くした、枕本体の内部を空洞（３）にしたトンネル形の無反発性の枕の形状。
(57)【要約】      （修正有）【課題】発熱体と電磁誘導装置を一体化した構造の電磁誘導の電力効率が高く電磁波の漏洩が無い取扱い簡便な汎用型電磁誘導発熱器を提供する。【解決手段】発熱用金属薄板と励磁コイルを配線した電磁コアとを絶縁性固定板を介して一体化した構造とし、励磁コイル４を中間ターミナルに接続し、電源スイッチを入れて高周波電源調整装置及び温度制御装置の作動条件を設定する。【選択図】図１
0003112603.tif 000002
【実用新案登録請求の範囲】
【請求項１】
発熱用金属薄板と励磁コイルを配線したＥ字型電磁コアとが中央に開口部を有する絶縁性固定板を介して図１のように一体化した構造であることを特徴とする汎用型電磁誘導発熱器。
【請求項２】
電磁コアが軟磁性フェライトと樹脂から成る横断面がＥ字型複合成形体であることを特徴とする請求項１に記載の汎用型電磁誘導発熱器。
【考案の詳細な説明】
【考案の詳細な説明】
【技術分野】
【０００１】  本考案は民生用の汎用型電磁誘導発熱器に関する。
【背景技術】
【０００２】  従来の電磁誘導法を用いた民生用の発熱装置にはＩＨヒーターが知られている。また、電磁コアを用いて誘導磁界を発生する方法としては鉄道レールの融雪装置（特開２００２−２１００３）が知られている。
【考案が解決しようとする課題】
【０００３】  しかしながら、ＩＨヒーターは励磁コイルに高周波電流を通電して高周波磁界を発生させる装置であり、この高周波磁界が発生する限定した部所に置いた鍋等の金属製品を電磁誘導による渦電流損で発熱させると言う装置であるから、それ自体は発熱器ではない。また、励磁コイルからの電磁波の漏洩が懸念されるので用心して使用しなければならないと言う欠点がある。また、鉄道レール上の雪を融雪する方法（特開２００２−２１００３）は励磁コイルを配線した電磁コアをレールに取り付けると言う特定の場所で用いる発熱装置であり汎用性が無い。
【課題を解決するための手段】
【０００４】  本考案は、発熱用金属薄板と励磁コイルを配線したＥ字型電磁コアとが中央に開口部を有する絶縁性固定板を介して図１のように一体化した構造であることを特徴とする汎用型電磁誘導発熱器と言う構成を具備したことにより、即ち、本考案は、電磁コアに配線した励磁コイルに高周波電流を通電すると電磁コアから高周波磁界が発生し電磁コアと向き合った金属板に渦電流を誘導して金属板を発熱させると言う電磁誘導法の原理に基づくものであり、電磁コアと発熱用金属板が形成する磁気回路が電磁波を閉じ込める作用により電磁波の漏洩を防止する汎用型電磁誘導発熱器としたことにより、上記課題を解決するものである。
【実施例】
【０００５】  図１に本考案の汎用型電磁誘導発熱器の実施態様を示す。電磁コアには軟磁性  合金電磁コア、フェライト焼結電磁コア及びこれらの粉体と樹脂を複合化した複合成形体電磁コアがあるが実施例では複合成形体電磁コアを用いて示す。
図１において、発熱用金属薄板１として縦横３００ｍｍで厚さ０．３５ｍｍのステンレス板、絶縁性固定板２として縦横２８０ｍｍ、厚さ５ｍｍで中央部に電磁コア３を発熱用金属板１と接触させるための開口部を設けた木製板、電磁コア３として長さ１００ｍｍ、高さ２５ｍｍ、幅６０ｍｍのマンガン亜鉛系フェライト粉体と１２ナイロン樹脂から成る複合成型体で横断面がＥ字型の電磁コア、そして、励磁コイル４は電気容量が１００Ｖ５Ａのエナメル被覆３３芯銅線を用いて電磁コア３に３巻線したものを用い、夫々、発熱用ステンレス板１は木製板２に留め具７で固定し、励磁コイル４を巻線した電磁コア３は木製板２の開口部を通して発熱用ステンレス板１に接触するように固定バンド５を用いて木製板２に留め具６で固定して一体化構造とした。【０００６】  次に、図３の実施態様を示す電気結線図において、１００Ｖの交流電源１０とスイッチ１１及び出力調整器とインバーターを内蔵した高周波電源調整装置１２から成る電源回路の中間ターミナル１３に励磁コイル４を接続し、１００Ｖ交流電源のスイッチ１１を入れ、高周波電源調整装置１２を調節してインバーターの出力周波数を１０ＫＨｚとし励磁コイル４への入力電力を５０ワットで通電し、熱電対と熱電温度計から成る温度制御装置（共に図示せず）を用いて制御温度を１００℃に設定してステンレス発熱板１の表面温度を測定した。また、電磁波の漏洩はＦＭラジオを用いて雑音発生の有無で観測した。【０００７】  励磁コイル４に通電して１分後、電磁コア３の真上部分の温度が７０℃に、そこから５０ｍｍ離れた部分が６０℃に、さらに電磁コア３から離れると温度は低下し、２００ｍｍまで離れた所で室温と同じ２２℃を示した。また、５分後には電磁コア３の真上部分の温度が９０℃となり、室温２２℃に至る発熱部分の面積は電磁コア３の真上から半径３００ｍｍに広がった。この間のコイル及びコアの温度は室温の２２℃乃至３５℃であった。また、発熱器の近傍に置いたＦＭラジオは雑音を生じなかった。【０００８】  これ等の結果は本考案の汎用型電磁誘導発熱器は、５０ワットと言う低電力でも発熱立ち上げ速度が早いと言う優れた発熱性能を有し、電磁波の漏洩が無いことを示すものであり、簡便な構造は民生用として汎用性が高いことを示すものであった。
【考案の効果】
【０００９】  本考案は、発熱体として金属薄板と励磁コイルを配線した電磁コアとを組み合わせたことにより電磁誘導の電力効率を高め、電磁波の漏洩を防止し、発熱用金属薄板と電磁コアとを絶縁性固定板を介して一体化構造としたことにより、取扱い簡便な汎用型電磁誘導発熱器を実現した。また、電源及び制御装置には家庭用電源と汎用の高周波数調整装置と温度制御装置を用いることができるので設置コストもランニングコストも節減できる等の効果がある。さらに、軟磁性フェライトと樹脂から成る横断面がＥ字型複合電磁コアは電磁波吸収性能が優れているので電磁波の漏洩防止効果をより大きくする。
【図面の簡単な説明】
【００１０】
【図１】本考案に係る発熱体構造の横断面図である。
【図２】本考案に係る発熱体構造の背面図である。
【図３】本考案に係る実施態様を示す模式図及び励磁コイルの電気結線図である。
【符号の説明】
１・・・発熱用金属板
２・・・絶縁性固定板
３・・・電磁コア
４・・・励磁コイル
５・・・電磁コア固定バンド
６・・・電磁コア固定バンド留め具
７・・・発熱金属板留め具
１０・・交流電源
１１・・電源スイッチ
１２・・高周波電源調整装置
１３・・中間ターミナル
１４・・導線
【図１】
0003112603.tif 000003
【図２】
0003112603.tif 000004
【図３】
0003112603.tif 000005
【手続補正書】
【提出日】平成17年4月18日(2005.4.18)
【手続補正１】
【補正対象書類名】実用新案登録請求の範囲
【補正対象項目名】全文
【補正方法】変更
【補正の内容】
【実用新案登録請求の範囲】
【請求項１】
発熱用金属薄板と、励磁用コイルを配線したＥ字型電磁コアを組み合わせ、絶縁性板で固定して一体構造としたことを特徴とする電磁誘導発熱器。
【請求項２】
Ｅ字型電磁コアが、軟磁性フェライト粒子と樹脂から成る複合成形体であることを特徴とする請求項１に記載の電磁誘導発熱器。
(57)【要約】【課題】  長距離運転の寝台兼用バスで隣席の人に気兼ねをしない独立空間を確保し、快適な乗車を可能にする提案。【解決手段】  車体の長さ方向に於ける左右両側方、及び中央の３列に対し、これと平行に夫々れ通路を挟んで起伏式椅子ベッドを上下の棚段状に並設させ、各列の上段は通路側から梯子を使用して昇降する構成とする。このさい、車体の長さ方向に於ける左右両側方には、車外を覗見可能にするカーテン付き窓を設けてあり、また中央列の左右側面側には、バスの天井からカーテンを垂設可能に設けたりする。【選択図】      図２
0003112607.tif 000002
【実用新案登録請求の範囲】
【請求項１】
車体の長さ方向に於ける左右両側方、及び中央の３列に対し、これと平行に夫々れ通路を挟んで起伏式椅子ベッドを上下の棚段状に並設させ、各列の上段は通路側から梯子を使用して昇降する構成となしたことを特徴とする寝台バス。
【請求項２】
車体の長さ方向に於ける左右両側方で、棚段状に配設した起伏式椅子ベッドの夫々れに対し、該起伏式椅子ベッドの起立及び又は倒伏状態で車外を覗見可能にするカーテン付き窓を設けたことを特徴とする請求項１記載の寝台バス。
【請求項３】
中央列の左右側面側に対し、バスの天井からカーテンを垂設可能に構成したことを特徴とする請求項１又は２記載の寝台バス。
【請求項４】
各列の起伏式椅子ベッド数は、上下段で１０席〜２０席となし、車幅２．５ｍ、車長１１．９９ｍの車体内へ３４席配置したことを特徴とする請求項１，２又は３記載の寝台バス。
【考案の詳細な説明】
【技術分野】
【０００１】
本考案は寝台バスに関する。
【背景技術】
【０００２】
長距離用バスをその座席シートに若干の改良を加えて、即ち背もたれを倒すことにより倒伏状態にして仮眠を可能になしたバスは公知である。また、当初からベッド式の個室とした夜間用寝台車の提案もある。
【特許文献１】実開平５−３２２５３号公報
【特許文献１】特開２０００−３５５２８７号公報
【考案の開示】
【考案が解決しようとする課題】
【０００３】
従来に提案されているものは専ら中央通路を挟んで左右へ２名が隣り合わせに座席することから極めて窮屈であり、トイレなどの出入りに不便である。又、仮眠中の鼾で迷惑を掛けたり、不快感を与えたりする問題がある。本考案は上記問題点を解決せんとするものである。
【課題を解決するための手段】
【０００４】
本考案は、車体の長さ方向に於ける左右両側方、及び中央の３列に対し、これと平行に夫々れ通路を挟んで起伏式椅子ベッドを上下の棚段状に並設させ、各列の上段は通路側から梯子を使用して昇降する構成となしたことを特徴とする。
このさい、車体の長さ方向に於ける左右両側方で、棚段状に配設した起伏式椅子ベッドの夫々れに対し、該起伏式椅子ベッドの起立及び又は倒伏状態で車外を覗見可能にするカーテン付き窓を設けるのであり、また中央列の左右側面側にはバスの天井からカーテンを垂設可能にして個室空間が形成されるものになしたりする。
【考案の効果】
【０００５】
本考案によれば、比較的多人数ながら各人に対し夫々れ独立した空間を簡便に構成することができるものとなるのであり、前後は勿論のこと何ら隣の人を遠慮することなくトイレに行ったり、仮眠したりすることができ、長距離に於ける快適な乗車を可能にするものである。
【考案を実施するための最良の形態】
【０００６】
図面は本考案に係る寝台バスを示すものであって、図１は正面図、図２は内部構造を示す断面説明図、図３は座席シートの配列状態を示す平面説明図、図４は横断側面図である。
【０００７】
１はバス本体であって、その車体長は１１．９９ｍ、車幅は２．５ｍである。２は車体内で前後方向へ倒伏可能に構成された座席シートであって、本考案では上下二段で且つ左右両側と三列に配設される。図示例ではバスの進行方向左側へ上下各５席、右側へ上下各６席、中央へ上下各６席配設したものを示している。
【０００８】
而して、左右両側の上下各座席シートには、その起立又は倒伏状態で車外を覗見可能にするカーテン付き窓３が設けてある。４ａ，４ｂは車内に設けてある通路、５は該通路で各上段の座席シートへ昇降するために設けしめた梯子である。
６は上記通路４ａ，４ｂに対し、凡そ夜間の就寝中に配設するカーテンであって、天井壁面へ機械的或いは電気的手段で通路下面に向かって自動降下するようになされる。７はその収納筺体である。このさい、該カーテンは一般的なレール手段の採用で配設されるようになしても良い。なお、図面で８はお手洗い所、９は運転席、１０は搭乗口である。
【０００９】
本考案に係る寝台バスは上記構成であって、各座席シート２は夫々れ独立の空間を形成されるものとなる。而して、昼間の走行中は専ら座席シート２を起立させるのであるが、必要に応じて倒伏した状態にすることも可能である。
ところで、夜間には各通路４ａ，４ｂに対しカーテン６を配設して各列相互間からも区隔されるようになすのであり、全く落ち着いた環境下でもって睡眠を可能にすることができるものとなる。
【００１０】
今日、長時間に亘り同一姿勢を持続するとエコノミー症候群の危険性を生じさせる問題があるが、本考案によれば道路走行上限られた制限下のバス車体内部に対し、３４席にもなる比較的多数の座席シートを、夫々れ単独の個室空間に形成するものとなすことができたのであり、この各座席シートの巾寸法は凡そ４６ｃｍ、倒伏の長さ寸法は１．５ｍ〜１．７ｍを可能にすることができる。
【図面の簡単な説明】
【００１１】
【図１】正面図である。
【図２】内部構造の断面説明図である。
【図３】座席シートの配列状態を示す平面説明図である。
【図４】横断側面図である。
【符号の説明】
【００１２】
１      バス本体
２      座席シート
３      窓
４ａ，４ｂ    通路
５      梯子
６      カーテン
８      お手洗い所
【図１】
0003112607.tif 000003
【図２】
0003112607.tif 000004
【図３】
0003112607.tif 000005
【図４】
0003112607.tif 000006
(57)【要約】      （修正有）【課題】吸入空気制御装置の制御弁を保持する円形軸１の端部の２面巾をミーリング加工時に発生する２面巾先端の切削バリの除去を確実に簡単にできるようにする。【解決手段】２軸回転ユニットにダイヤモンド砥石をつけ、砥石径Ｄ・２軸間距離Ｌ・円形軸１の押し込み量Ｂの設定により、円形軸１端部の対向した２面巾先端に発生するバリが同時に均一に加工できバリ取り精度の向上と加工工数の低減が図れる。【選択図】図５
0003112608.tif 000002
【実用新案登録請求の範囲】
【請求項１】
２軸の加工ツールの外径及び２軸間の距離及び円形軸１の端部２面巾先端の移動距離を組合せ設定し、円形軸１端部の先端２面のバリを同時に除去する装置。
【考案の詳細な説明】
【考案の詳細な説明】
【技術分野】
【０００１】  本考案は吸入空気制御装置
【図１】
の制御弁２を保持する円形軸１の端部に形成する二面巾（３・４面）（５・６面）先端に発生する切削バリを除去する装置に関するものである。
円形軸１の端部に形成される二面巾に吸入空気制御装置を制御するレバー、部品を組付けるが、二面巾先端に切削バリが残っているとスムーズに組付けることができず、時には吸入空気制御装置の作動不良になる。二面巾先端部の切削バリを効率よく除去する装置の考案である。
【背景技術】
【０００２】  従来、円形軸１の端部の二面巾先端に発生する切削（ミーリング加工）バリは、特殊な専用機械を使用して自動的にバリ取りする場合があるが設備投資が大きく、ヤスリを使用してハンド加工でバリ取りをしているケースが多いのが現状である。
【考案が解決しようとする課題】
【０００３】  円形軸１の端部二面巾のミーリング加工で発生する二面巾先端の切削バリを確実に早く安くできる、安価な装置が必要である。
【考案が解決するための手段】
【０００４】  ２軸穴明けユニットを活用して、ダイヤモンド砥石を２軸穴明けユニットに取り付け、２ケのダイヤモンド砥石の間に円形軸１の端部二面巾の先端を押付け２面同時にバリ取りを実施する。
【実施例】
【０００５】  円形軸１の端部二面巾（２面：５・６）の先端がダイヤモンド砥石外径ΦＤと４５°の傾斜で接触するように、砥石径Ｄと穴明けユニットの２軸間の距離Ｌを決め、次に砥石軸を回転させ円形軸１をＢ方向に移動させ円形軸１の端部二面巾の先端を砥石に当て“２面：５・６”の切削バリ取り加工テストを実施した。
【効果の確認】
【０００６】  円形軸１の端部二面巾（２面：５・６）先端の切削バリは、確実に一発で均一な面が残るバリ取り加工ができた。
砥石径Ｄと砥石２軸間の距離Ｌ及び円形軸１の押し込み量を調整することによって色々な傾斜・大きさの面取り加工も可能である。
【図面の簡単な説明】
【図１】  吸入空気制御装置の断面図である。
【図２】  円形軸の側面図である。
【図３】  円形軸のＡ方向より見た側面図である。
【図４】  ２軸穴明けユニットにダイヤモンド砥石をつけた上面図である。
【図５】  ２軸ダイヤモンド砥石と円形軸１端部の二面巾先端部が最初に当たる模式図である。
【符号の説明】
１  円形軸
２  制御弁
３  円形軸端部の二面巾の一面
４  円形軸端部の二面巾の対になる面
５  円形軸端部の二面巾の一面
６  円形軸端部の二面巾の対になる面
７  ダイヤモンド砥石
８  ダイヤモンド砥石と円形軸端部の二面巾先端が最初に当る位置
９  ２軸穴明けユニット
Ｄ  ダイヤモンド砥石の外径
【図１】
0003112608.tif 000003
【図２】
0003112608.tif 000004
【図３】
0003112608.tif 000005
【図４】
0003112608.tif 000006
【図５】
0003112608.tif 000007
【手続補正書】
【提出日】平成17年4月18日(2005.4.18)
【手続補正１】
【補正対象書類名】実用新案登録請求の範囲
【補正対象項目名】全文
【補正方法】変更
【補正の内容】
【実用新案登録請求の範囲】
【請求項１】
並列に設けられた２軸のダイヤモンド砥石軸７の中心距離Ｌを調整でき且つ円形軸１の押し込み量Ｂの調整が出来る機構を有した円形軸１先端部２面巾頂点のバリを同時に除去する装置。
(57)【要約】      （修正有）【課題】本考案はタオル本体に輪状のゴム紐を２個所設け、両耳に掛けて装着、顔の頬、鼻のした、顎、顎下、それぞれの部分に一度に当てることができる蒸しタオルを提供する。【解決手段】本考案は本体１の個所に二つのゴム紐を設け３ａに示すように耳に掛ける。左右の耳に掛ける。顔に蒸しタオルを当てる部分４の頬５，６鼻の下７，顎８の顎の下。顎の下は袋状で困難な部分に密着し、身体の動作に対しても本体が密着し外れなく、髭や毛を剃ることに役立つ。【選択図】図１
0003112601.tif 000002
【実用新案登録請求の範囲】
【請求項１】
タオル本体の上部、全面左右に２個所に輪状のゴム紐を取りつけ、耳に掛け、鼻から下部、顎、頬、顔の部分にタオルが覆う。顎の部分が袋状を特徴とする耳かけ蒸しタオル。
【考案の詳細な説明】
【考案の詳細な説明】
【０００１】    ［考案の属する技術分野］
本考案は、顔の髭、毛質、をそるときに、耳かけ蒸しタオルを顔に当て、水分を浸したタオルに熱気を与えることにより、熱気の作用で髭、毛質が軟化する。タオルに取り付けた２個所の輪状の紐が耳にかけを設けた、蒸しタオルに関するものである。
【０００２】      ［従来の技術］
理容店、美容店においては蒸したタオルを寝た状態で顔に乗せ髭毛質を剃っている。旅館、ホテル、宿泊施設、一般家庭などでは、直立した体形で、タオルを顔に押さえて、髭や毛質を剃っている。
【０００３】      ［考案が解決しょうとする課題］
寝ている状態の場合、擦れ、落下が発生する。部分的にあてるので熱気が冷めやすく、当る作用が度重なる。直立している状態の場合、装着が不可能、タオルに取りつけた輪状のゴム紐を耳に掛けることによって、時間、労働的負担等か課かるのを、装着することによって、前述の欠点を解決するものである。
【０００４】［課題を解決するための手段］
本考案はタオル２個所に輪状のゴム紐を取りつけ、左右の耳に掛ける。水分が吸収し重量が増すため、耳に架る重さに対して、ゴムの弾力性を応用。輪状の紐を耳に掛けることによって、固定し顔の頬、鼻の下部分、顎に密着する。顔が垂直、顔が仰向けになった場合、タオルの落下、ずれ落ち防止の働き作用する。顎の部分が袋状なのでタオルが密着し、効果を上げることにより、問題点を解決している。
【０００５】［考案の実施の形態］
タオル本体を蒸し器、電子レンジお湯等で温め、タオル本体に取りつけてある、輪状の紐２個を両耳に掛ける。髭や毛は熱気作用で温まり、軟化し滑らかに抵抗がなく、剃ることが可能になる。
【０００６】［実施例］
以下、添付図面に従って、実施例を説明する。１、は吸収性の、綿繊維等適宜素材にて一体化形成された耳掛け蒸しタオル本体、２と３は蒸しタオルを耳に装着固定するもの。６、は鼻の穴に覆はないよう、鼻穴下位置に装着なる。７、は口、頬、顎、装着なる。４と５頬の部分の装着。
【０００７】７、は顎から首にかけて蒸しタオル本体に装着なる。
【０００８】本考案の一実施例は上述のごとき構成からなるもので、顔に付着した汚れ、皮膚の表皮からでた不純物等の除去する働きもするがタオル本体を水分を含ませ熱を与え、顔の髭や毛の生えている個所に当てる。容易に剃ることは勿論、立った状態、仰向けになった状態、装着なる。
【０００９】［考案の効果］
上述の様に本考案の耳掛け蒸しタオルは顔の髭や毛を剃るとき、本タオルに取りつけてある、輪状の二つのゴム紐を両耳に掛けることによって擦れ落ちることもなく、安定する。タオルの保温性により効果を発揮できる。カミソリを使用する際に顔の皮膚に馴染みやすくなり、髭や毛が剃りやすくなる。皮膚の汚れも同時に除去できるので役立つ。
【図面の簡単な説明】
【００１０】［図１］
本考案の耳掛け蒸しタオルの実施例を示す正面図である。
［図２］
本考案の側面図である。
【符号の説明】
【００１１】１、タオル本体                  ７、顎タオル
２、耳掛けゴム紐                ８、顎下タオル
３、耳掛けゴム紐
４、頬タオル
５、頬タオル
６、鼻下タオル
【図１】
0003112601.tif 000003
【図２】
0003112601.tif 000004
【手続補正書】
【提出日】平成17年3月2日(2005.3.2)
【手続補正１】
【補正対象書類名】実用新案登録請求の範囲
【補正対象項目名】全文
【補正方法】変更
【補正の内容】
［書類名］  実用新案登録請求の範囲
［請求項１］
タオル本体の両隅２個所に輪状のゴム紐を取りつけ、耳に掛け、鼻から下部、顎、頬、顔の部分にタオルを覆い、顎の部分が袋状を特徴とする耳かけ蒸しタオル。
(57)【要約】【課題】  本考案豚革トランクケースに使用されている上蓋の内木枠をアルミとＬ型金具で補強し強度を向上させるものである。【解決手段】  本考案は木枠の上外面をアルミで覆い、４内隅にＬ型金具を取り付けて木枠の歪みを補正するとともに落下時の衝撃に耐えうる強度を増加させる。【選択図】    図２
0003112609.tif 000002
【実用新案登録請求の範囲】
【請求項１】
豚革トランクケース上蓋内枠の木枠を上外面からアルミを覆うとともに４内隅にＬ型金具を取付けて木の脆弱さを補強、歪みを補正し本来の木枠を使った豚革トランクケースよりも耐落下性や上下左右の衝撃に耐える強度を向上させる
【考案の詳細な説明】
【技術分野】
【０００１】  本考案は、上蓋内縁に木枠を使った豚革トラベルキャリーケースにアルミとＬ型金具を用いて補強加工した枠に関するものである。
【背景技術】
【０００２】  木の素材のみを使用した場合は折れやすく及び上蓋と内枠を固定する鋲の緩みで本体と剥離する事がある。
【考案の開示】
【考案が解決しようとす課題】
【０００３】  木枠では落下時の衝撃で折れやすく、また鋲の緩みで上蓋と木枠の接着も弱くなり剥離する可能性がある。従って木枠にアルミを上面と外郭で覆いＬ型金具を４隅に装着することにより木枠の脆弱さ、落下時の衝撃に強度を持たせる事が出来、鋲の緩みや上蓋との剥離もアルミを貫通する事で防止。前述の欠点を解決しようとするものである。
【課題を解決するための手段】
【０００４】  本考案は、取り付ける木枠に強度の高いアルミで上、外枠の２面を覆い、４内隅にＬ型金具取り付けで強度及び耐衝性が増し鋲による緩みで抜け落ちる問題を解決している。
【考案の効果】
【０００５】  上述の様に、本考案のアルミで覆った木枠は強度補強や鋲の抜け落ち現象が発生しにくい上、Ｌ型金具の補強により左右上下からの衝撃に対する強度の増加にも効果を発揮また、旅行時の運搬で生じる重圧による破損、荷物同士の衝突による故障にも防止効果がある。
【考案を実施するための最良の形態】
【０００６】  木枠の上外面を覆うアルミを釘、ネジで固定により本体取り付ける鋲がアルミを貫通することで鋲の脱落を防止。木枠の４内隅にＬ型金具をネジで固定木枠の歪みの補正、左右上下からの重圧に対して補強できる。
【実施例】
【０００７】  以下、添付図面に従って一実施例を説明する。１．補強する豚革トラベルキャリーケースケース木枠箇所、２はアルミで補強する木枠、３は木枠を２面で覆う加工したアルミ枠。
４は各内隅に取り付けるＬ型金具。
【図面の簡単な説明】
【０００８】
【図１】本考案のアルミ補強木枠を取り付ける豚革トラベルキャリーケースである。
【図２】木枠上外面をアルミで覆い４内隅にＬ型金具を取り付けた断面図。
【符合の説明】
【０００９】  １  補強する豚革トラベルキャリーケース上蓋内木枠
２  木枠
３  木枠の２面を覆うアルミ枠
４  木枠の４内隅に取り付けるＬ型金具
【図１】
0003112609.tif 000003
【図２】
0003112609.tif 000004
【手続補正書】
【提出日】平成17年5月6日(2005.5.6)
【手続補正１】
【補正対象書類名】実用新案登録請求の範囲
【補正対象項目名】全文
【補正方法】変更
【補正の内容】
【実用新案登録請求の範囲】
【請求項１】
豚革トランクケース上蓋内枠の木枠を上外面からアルミを覆うとともに４内隅にＬ型金具を取付けて木の脆弱さを補強、歪みを補正し本来の木枠を使った豚革トランクケースよりも耐落下性や上下左右の衝撃に耐える強度を向上させる豚革トランクケース。
(57)【要約】【課題】本考案は障害者や高齢者を中心とした被洗髪者を携帯用洗髪台で洗髪する際に効率よく洗髪容器に排水される洗髪帽子を提供すること。【解決手段】  本考案に係る携帯用洗髪台専用洗髪帽子は前記目的を達成せんとするもので、略板状の弾性材の中間に穴を設け前記穴の縁に略厂字状に形成し、前記穴に被洗髪者の頭部が入り前記弾性材の前方左右の端は流水防止のために上方に向けて曲っている。【選択図】    図１
0003112473.tif 000002
【実用新案登録請求の範囲】
【請求項１】
略板状の弾性材の中間に略円形状の穴を設け前記穴の縁を略厂字状に形成し、前記弾性材の一部を切り欠いて周辺を上方に向けて折り曲げて成る携帯用洗髪台専用洗髪帽子。
【考案の詳細な説明】
【技術分野】
【０００１】    本考案は携帯用洗髪台を使用する被洗髪者が洗髪する際の補助具に関する。
【背景技術】
【０００２】    従来のシャンプーハットや洗髪帽子は子供用や幼児用に出来ていることと、使用する所は浴場が多いため、前記洗髪帽子の両端は下方向き四方に流水するようになっている。今日、高齢化がすすむなか高齢者や障害者等の被洗髪者が浴場以外で洗髪を行う事が多くなり、携帯用洗髪台を用いて洗髪をする事が考えられ、前記洗髪帽子では携帯用洗髪台の容器に効率よく排水されづらい。
【考案の開示】
【考案が解決しようとする課題】
【０００３】    本考案は障害者や高齢者を中心とした被洗髪者を携帯用洗髪台で洗髪する際、洗髪時の排水が効率よく洗髪容器に排水できる事を課題とする。
【課題を解決するための手段】
【０００４】    本考案に係る携帯用洗髪台専用洗髪帽子は前記目的を達成せんとするもので、略板状の弾性材の中間に穴を設け前記穴の縁を略厂字状に形成し、前記穴に被洗髪者の頭部が入り前記弾性材の前方左右の端は流水防止のために上方に向けて曲っている帽子である。
【考案の効果】
【０００５】    本考案は携帯用洗髪台を用いて洗髪する際に、被洗髪者の頭部を略板状の弾性材で囲み前方左右の端は上方に向かって曲っているので、洗髪時の排水が洗髪帽子の後方のみに流水する事から効率よく洗髪容器に排水される。
【考案を実施するための最良の形態】
【０００６】    略板状のゴム等の弾性材の中間の穴に被洗髪者の頭部を入れて、前記弾性材の前方左右の端は上方に向かって曲っている。
【実施例１】
【０００７】    本考案に係る携帯用洗髪台専用洗髪帽子の実施の形態について図面を参照しながら説明する。図１は略板状の弾性材Ａで中間には被洗髪者の頭部を収める穴２が開いている。曲部４は前方左右に排水されないよう上方を向いて曲っているため洗髪時の汚水は洗髪帽子の後方のみに排水される事により四方への排水の飛沫を防止でき洗髪容器に効率よく排水できる。
略板状の弾性材としては、通常使われているシャンプーハットの素材のＥＶＡ樹脂で作ることが望ましい。
【図面の簡単な説明】
【図１】  携帯用洗髪台専用洗髪帽子の平面図
【図２】  携帯用洗髪台専用洗髪帽子の側面の断面図
【符号の説明】
【０００８】  Ａ  略板状の弾性材
１  切り欠い部
２  穴
３  穴の縁の略厂字状部
４  曲部
【図１】
0003112473.tif 000003
【図２】
0003112473.tif 000004
(57)【要約】【課題】  マウスの両サイドに機能ボタンを設け、そのボタンを押しながらでもそのマウスを容易に動かすことができる設計をした便利機能サイドボタン付きマウスを提供する。【解決手段】  親指と薬指とで押しながらでも、マウス操作を容易にできるように両サイドにへこみを与えて変形させた形にし、その中にマウスの左サイドにキーボードのＳｈｉｆｔキーと連動させるボタンを設け、右サイドにはキーボードのＣｔｒｌキーと連動させるボタンを設けることを特徴とする便利機能サイドボタン付きマウス。【選択図】  図１
0003112474.tif 000002
【実用新案登録請求の範囲】
【請求項１】
親指と薬指とで押しながらでも、マウス操作を容易にできるように両サイドにへこみを与えて変形させた形にし、その中にマウスの左サイドにキーボードのＳｈｉｆｔキーと連動させるボタンを設け、右サイドにはキーボードのＣｔｒｌキーと連動させるボタンを設けることを特徴とする便利機能サイドボタン付きマウス。
【考案の詳細な説明】
【技術分野】
【０００１】  本考案は、マウスの両サイドに機能ボタンを設け、そのボタンを押しながらでもそのマウスを容易に動かすことができる設計をした便利機能サイドボタン付きマウスに関するものである。
【背景技術】
【０００２】  従来、マウスの両サイドに機能ボタンを設けて、そのボタンをあらかじめ自分でよく使うキーを設定するマウスや、初めからツールバーの戻る・進むボタンを設定してあるマウスなどがあった。
【考案の開示】
【考案を解決しようとする課題】
【０００３】  そのために次のような問題点があった。
（イ）使う前にあらかじめ自分で機能ボタンのキーを設定するマウスは、パソコン初心者の方などには扱いにくい点があった。
（ロ）初めからツールバーの戻る・進むボタンを設定してあるマウスは、ページを変えるときなどにしか必要なく、アイコン操作やＣＡＤ・事務用ソフトなどを扱うには、必要性が少なかった。
本考案は、以上の問題点を解決するためのものである。
【課題を解決するための手段】
【０００４】  親指と薬指とで押しながらでも、マウス操作を容易にできるように両サイドにへこみを与えて変形させた形にする。その中に、マウスの左サイドにキーボードのＳｈｉｆｔキーと連動させるボタンを設け、右サイドにはキーボードのＣｔｒｌキーと連動させるボタンを設ける。以上を特徴とする便利機能サイドボタン付きマウスである。
【考案の効果】
【０００５】  左サイドにＳｈｉｆｔキーボタン、右サイドにＣｔｒｌキーボタンを設けることにより、手元のマウスでそれらの機能を行うことが出来るので、ＳｈｉｆｔキーとＣｔｒｌキーの機能の特徴である選択範囲の変更などの操作が容易にできる。またへこみのあるところにボタンがあるため、ソフトウェアによって異なるがＳｈｉｆｔキーの場合、多くは選択範囲の拡大の役割をするので、親指で押しながらドラッグするのが容易である。Ｃｔｒｌキーの場合、多くは選択範囲の一部を不選択にする役割をするので、薬指で押しながらマウスを動かすのが容易である。
【考案を実施するための最良の形態】
【０００６】  以下、本考案の実施の形態を説明する。
（イ）マウス本体（１）の左サイドと右サイドにへこみを与える。
（ロ）マウス本体（１）の左サイドのへこみを与えた中にＳｈｉｆｔキーボタン（２）を設け、右サイドのへこみを与えた中にＣｔｒｌキーボタン（３）を設ける。
（ハ）コード（４）をキーボードに接続し、Ｓｈｉｆｔキーボタン（２）とＣｔｒｌキーボタン（３）をキーボードのそれぞれの同一キーと連動させるようにする。
本案は以上のような構造でこれを使用するときは、Ｓｈｉｆｔキーボタン（２）を押す場合は、通常のマウスを使う手の状態から親指（５）を前に少しずらして押す。Ｃｔｒｌキーボタン（３）を押す場合は、通常のマウスを使う手の状態から薬指（６）を前に少しずらして押す。
【図面の簡単な説明】
【０００７】
【図１】本考案の斜視図（１）
【図２】本考案の斜視図（２）
【図３】本考案の使用状態を示す斜視図
【符号の説明】
【０００８】    １  マウス本体
２  Ｓｈｉｆｔキーボタン
３  Ｃｔｒｌキーボタン
４  コード
５  親指
６  薬指
【図１】
0003112474.tif 000003
【図２】
0003112474.tif 000004
【図３】
0003112474.tif 000005
(57)【要約】【課題】本考案は、芯台木製板乃至芯台積層段ボールに研磨材を固着させて、なおかつ、ビニール袋入りマタタビを中間に装着して積層段ボール乃至麻生地を重ね、固着化したものである。その保護枠は、化粧箱に一体化され、猫の爪磨きと同時に猫の爪を磨耗さながら、爪切り状態に維持できる機能を持たせる。【解決手段】本考案の研磨材付き猫の爪研ぎ器は、芯台木製板乃至芯台積層段ボール１に研磨材２、３、を固着させる。さらには、マタタビ粉末入りビニール袋６、７、８、９、１０、１１を中間に装着して積層段ボール乃至麻生地４、５を重ね固体化したものである。なおかつ、化粧箱１２、１３、１４、１５、１６、１７、１８を設け、その化粧箱に内臓されたことを特徴とする。【選択図】        図１
0003112443.tif 000002
【実用新案登録請求の範囲】
【請求項１】
爪磨き素材積層段ボール乃至麻生地の裏側に研磨材を塗布した素材を施しなおかつ、芯台木製板乃至芯台積層段ボール等の芯台に挟み込み固着させ、容易に爪の研磨ができる機能を有する研磨材付き猫の爪研ぎ器。
【請求項２】
前記裏側に研磨材を塗布した素材は、これに添付させるビニール袋の中に入れたマタタビ粉末を装着させて、芯台木製板乃至芯台積層段ボール等の芯台に挟み込み固着した研磨材付き猫の爪研ぎ器を化粧箱に入れて一体化したことを特徴とする請求項１記載の研磨材付き猫の爪研ぎ器。
【考案の詳細な説明】
【技術分野】
【０００１】  本考案は、猫の爪を磨耗させる、研磨材付き猫の爪研ぎ器に関するものである。
【背景技術】
【０００２】  従来においては、猫の爪研ぎとして活用されているが、その効果は爪磨きが主流であり爪先が外猫に比べ内猫は鋭利になることが多く、通常は爪切り器等で対応している為、猫がその行為を嫌って飼主が引っ掻き傷を負ってしまう。
【考案の開示】
【考案が解決しようとする課題】
【０００３】  上記の如く、従来技術に係る猫の爪研ぎ器は、猫のストレス解消のみ有効に働く機能であり、爪研ぎが積極的に機能を有する訳ではないので、この爪研ぎ器を用いてもそれだけでは十分な爪研ぎ効果は得られず、鋭利な爪を除去するに必要な研ぎ量の確保は難しい。【０００４】このため、飼猫は爪の延びる頻度が速く家屋の襖等に引っ掻き痕をつけてしまう。特に飼主に対しても鋭利な爪で引っ掻くので、被害を被っているのが現状である。【０００５】  本考案は、このような点に鑑みて成されたものであり、その目的は、鋭利な爪を容易に磨耗減少する。なおかつ、爪切りした状態に維持することができる様にすることにある。
【課題を解決するための手段】
【０００６】  上記の目的を達成する本考案の研磨材付き猫の爪研ぎ器は、芯台木製板乃至芯台積層段ボールに研磨材を固着させて、なおかつ、ビニール袋入りマタタビを中間に装着して積層段ボール乃至麻生地を重ね固着化したものである。その保護枠は化粧箱に一体化され、猫の爪磨ぎと同時に猫の爪を磨耗させながら、爪切り状態に維持できることを特徴とする。【０００７】  一例として、前記研磨材付き猫の爪研ぎ器は、表面が積層段ボール乃至麻生地で覆われているので、直接研磨材に触れることもないので好適に活用できる。
【考案の効果】
【０００８】  以上説明したように本考案によれば、芯台両面に爪研ぎ研磨材と爪磨き材を取り付け、その爪研ぎ研磨材と爪磨き材の間にマタタビを付属してあるので、他の場所での爪研ぎ行為を防止できる。好適には、鋭利な爪先を常時円滑にできることを可能する。なおかつ、飼主の引っ掻き傷の防止に極めて有効な機能と、脱着機能を備えている。
【考案を実施するための最良の形態】
【０００９】  以下、本考案の実施の形態を図面に基ずき詳細に説明する。【００１０】  図１〜図４は本考案の第１の形態に係り、図１はその組付け斜線図、図２はその部材の斜線図、図３は化粧箱に構成された斜線図、図４はＡ−Ａ線の断面図、図５は姿図である。【００１１】  図１、図２に示すように、本研磨材付き猫の爪研ぎ器は、芯台木製板乃至芯台積層段ボールを有する構造体１の片面に研磨材２、を取り付け、その研磨材面にビニール袋入りマタタビ６、７、８を添付して、その上面に積層段ボール乃至麻生地４を取り付ける。なおかつ、その芯台木製板乃至芯台積層段ボール１に３、９、１０、１１、５が対象の位置に対峙して構成されている。【００１２】  図３、図４に示すように、１、〜１１に構成された研磨付き猫の爪研ぎ器を化粧箱構造体１２、１３、１４、１５、１６、１７、１８に内臓したものである。【００１３】  図４に示すように、図３の脱着部材の断面図である。その本研磨材付き猫の爪研ぎ器を側面より脱着する木製乃至紙製部材１７、１８で構成される。
【実施例】
【００１４】  研磨材付き猫の爪研ぎ器１、〜１８は例えば、長さ５００ｍｍ×幅２００×ｍｍ×高さ５０ｍｍの寸法を有する直方体形状をしており、家屋内使用に適している。なおかつ、図１、図２、図４に示す研磨材２、３にはビニール袋入りマタタビを用いるのが最適である。その保護枠として化粧箱１２、〜１８の構成した中に内臓して一体化したこととにより、安全性と耐蝕性を向上させるためである。
【産業上の利用可能性】
【００１５】  本考案は、動物愛好家に有用な猫用爪研ぎ器を製造、販売する産業分野で利用することができる。
【図面の簡単な説明】
【００１６】
【図１】  本考案の第１の実施の形態に係る研磨材付き猫の爪研ぎ器の外観斜視図である。
【図２】  図１の研磨材付き猫の爪研ぎ器の部材斜視図である。
【図３】  図１の研磨材付き猫の爪研ぎ器を化粧箱に内臓した斜視図である。
【図４】  本考案の実施に係る研磨材付き猫の爪研ぎ器図３のＡ−Ａ線の断面図、脱着部分の斜線図である。
【図５】  姿図
【符号の説明】
【００１７】  １、        芯台木製板乃至芯台積層段ボール
２、３      研磨材
４、５      積層段ボール乃至麻生地
６、〜１１  ビニール袋入りマタタビ
１２、〜１６  化粧箱
１７、１８    脱着部材
【図１】
0003112443.tif 000003
【図２】
0003112443.tif 000004
【図３】
0003112443.tif 000005
【図４】
0003112443.tif 000006
【図５】
0003112443.tif 000007
(57)【要約】【課題】  従来の衣服等の飾り留め具は針の尖端が剥き出しで、衣服に引っ掛けたり、手肌に刺さる等、危険であった。しかも衣服生地に刺してあるだけなので、針の刺し方によっては衣服から外れてしまうことがあった。【解決手段】  本考案は針１を針の尖端２から後方の、一つ目の曲げ部分３の位置で針の尖端２の方向へ折り返すように曲げ、この折り曲げた針１を針の尖端２より前方、針の尖端２が二つ目の曲げ部分３より内側になる位置で、針の尖端２を囲むように針の尖端２の方向へ折り返すように曲げることで、針の尖端をガードする。そして、針の尖端部分と複数の曲げ部分とで衣服生地を挟み込み、針の尖端の反対の端に取り付けた飾りをしっかり固定することで従来の課題を解決することができる。【選択図】              図１
0003112446.tif 000002
【実用新案登録請求の範囲】
【請求項１】
一本の針を針の尖端から後方の適当な位置で、針の尖端方向に折り返すように曲げ、さらにこの折り返した針を針の尖端より前方で、針の尖端が次に曲げる部分に触れず、且つ内側になる位置で、針の尖端を囲むように針の尖端に向かって折り返すように曲げ、この曲げ部分で針の尖端をガードし、針の尖端部分と複数の曲げ部分によって生地を挟み込み、針の尖端の反対の端に飾りを取り付けたことを特徴とする安全飾り留め具。
【考案の詳細な説明】
【技術分野】
【０００１】  本考案は、衣服等に飾り等を取付ける際に使用する、留め具に関するものである。
【背景技術】
【０００２】  従来は衣服生地に針を偶数回通し、飾りが前後左右に動かないように固定していた。その際、針の尖端を生地の上に剥き出しのままか、或いは他者若しくは自らの衣服に引っ掛けたり、手肌に刺さらないよう安全を考え、剥き出しの針の尖端に覆いを取り付けていた。
【考案の開示】
【考案が解決しようとする課題】
【０００３】  しかしながら、生地の上に針の尖端が剥き出しのものは、生地上に露出した針の尖端が出過ぎている場合、他者若しくは自らの衣服に引っ掛けたり、手肌に刺さることがあった。反対に少ししか出ていない場合には、針が生地から抜けてしまい、生地の下側、つまり衣服の中に針の尖端が潜り込んで肌を傷つけることがあった。同様に、針の尖端に覆いを取付けたものであっても、覆い自体が取れしまい、他者若しくは自らの衣服に引っ掛けたり、手肌を傷つけることがあった。【０００４】  さらに、飾りを安定的に固定するために、従来技術では、衣服生地に偶数回、最低でも二回、生地に針を通して、安全のため生地の上に針の尖端を出しておく必要がある。しかし、二回目の針穴からの針の出方が少なく、二回目の針穴から針が抜けてしまった場合には、最初の針穴一ヶ所だけで固定されることになるため、飾りが最初の針穴を中心として上下左右、自由に動いてしまい非常に不安定で、飾り自体が衣服生地から外れてしまうことがあった。
【課題を解決するための手段】
【０００５】  本考案は、一本の針を針の尖端から後方の適当な位置で、針の尖端方向に折り返すように曲げ、さらにこの折り返した針を針の尖端より前方で、針の尖端が次に曲げる部分に触れず、且つ内側になる位置で、針の尖端を囲むように針の尖端に向かって折り返すように曲げることにより、この曲げ部分で針の尖端をガードする。そして、針の尖端部分と複数の曲げ部分によって生地を挟み込み、針の尖端の反対の端に取り付けた飾りをしっかり固定し、前記従来の課題を解決するものである。
【考案の効果】
【０００６】  本考案によって、針の尖端は、生地上に露出させる必要はなく、他者若しくは自らの衣服に引っ掛けたり、手肌に刺さったりすることはない。針の尖端は生地の下側、つまり衣服の中に在るため、針の尖端部分と針の尖端前方と後方に位置する二箇所の曲げ部分によって、生地自体を挟み込むことになり、生地に密着して肌を傷つけることはない。【０００７】  飾りの衣服への取り付けに際しても針穴は一箇所で済み、針を刺す深さも、針の尖端後方に位置する曲げ部分によって針を刺す深さが制限されるため、深く刺し過ぎる心配もない。飾りを含む針自体は、針を刺すだけで、針の尖端部分と針の尖端前方と後方に位置する曲げ部分によって、生地自体を挟み固定されることになる。これにより飾りを含む針自体は上下左右に動き辛くなり、衣服生地から外れることはなくなる。
【考案を実施するための最良の形態】
【０００８】  適当な長さの一本の針を、針の尖端より後方の適当な位置で、針の尖端方向に折り返すように曲げ、一つ目の曲げ部分を作る。つぎにこの折り返した針を、針の尖端部分より前方の適当な位置で、針の尖端が次に曲げる部分に触れず、且つ内側になる位置で、針の尖端を囲むように針の尖端部分に向かって折り返すように曲げ、二つ目の曲げ部分を作る。そして、針の尖端の反対の端に飾りを取り付ける。
【実施例】
【０００９】  添付図面を参照して本考案の一実施例を説明する。針１を針の尖端２から後方の、一つ目の曲げ部分３の位置で針の尖端２の方向へ折り返すように曲げる。つぎに、この折り曲げた針１を針の尖端２より前方、針の尖端２が二つ目の曲げ部分３より内側になる位置で、針の尖端２を囲むように針の尖端２の方向へ折り返すように曲げる。そして、針の尖端２と反対の端に、飾り４を取り付ける。
【図面の簡単な説明】
【００１０】
【図１】  本考案の一実施例に係る留め具を示す説明図である。
【図２】  本考案の一実施例に係る留め具を示す右側面図である。
【図３】  本考案の一実施例に係る留め具を示す平面図である。
【図４】  本考案の一実施例に係る留め具を示す左側面図である。
【図５】  本考案の別実施例に係る留め具の示す右側面図である。
【図６】  本考案の別実施例に係る留め具を示す平面図である。
【図７】  本考案の別実施例に係る留め具を示す左側面図である。
【符号の説明】
【００１１】  １  針
２  針の尖端
３  曲げ部分
４  飾り
【図１】
0003112446.tif 000003
【図２】
0003112446.tif 000004
【図３】
0003112446.tif 000005
【図４】
0003112446.tif 000006
【図５】
0003112446.tif 000007
【図６】
0003112446.tif 000008
【図７】
0003112446.tif 000009
(57)【要約】【課題】従来は、寒い冬の日に外に出て洗濯物をハンガー等に掛けていた。又夏の日差しの強い日には洗濯物の出し入れは日焼け心配であった。取り込みが遅くなって蚊にさされて洗濯物を取り込んでいた。【解決手段】伸び縮み自在の４本足のついたパンタグラフに暖かい室内で、洗濯物のハンガー掛けが出来たら、物干し作業が楽になる。【選択図】  図１
0003112441.tif 000002
【実用新案登録請求の範囲】
【請求項１】
パンタグラフ使用により、室内で、ちじめた状態で取り付けハンガーに洗濯物を掛け、全部掛けてから干す場所に持って行き、竿にかけてパンタグラフを伸ばす。
【請求項２】
伸び縮じみ自在型の４本足により、伸ばした状態で洗濯物を掛けて全部掛け終わったら、竿にかける。竿に掛け終わったら足を縮じめて終了。
【考案の詳細な説明】
【考案の詳細な説明】
【考案が解決しようとする課題】
【０００１】  従来は、冬の寒い日に外に出て洗濯物の出し入れをしていた、又夏の暑い日には洗濯物の出し入れは日焼け等が心配であった。取り込みが遅くなって蚊にさされて洗濯物を取り込んでいた。
【課題を解決するための手段】
【０００２】  洗濯物のハンガー掛け等が暖かい室内で出来たら解決する。
【考案の効果】
【０００３】  洗濯物のハンガー掛け等が暖かい室内で出来たら、冬の寒い外でする作業がほとんど無くなり又夏の暑い日の日焼けの心配や、蚊にさされる心配もなくなる。
【図面の簡単な説明】
【図１】  パンタグラフＡをちじめた状態で４本足Ｂを伸ばしてハンガーＣに洗濯物を掛けて行く。
【図２】  洗濯物をハンガーＡに掛け終わったら、ハンガーＡをそのままの状態で外の竿の所へ持って行き竿ＤにフックＥで掛ける。掛け終わったら４本足Ｂを縮じめて終了。
【符号の説明】
Ａ      パンタグラフ
Ｂ      パンタグラフを支える４本足
Ｃ      ハンガー
Ｄ      物干し竿
Ｅ      パンタグラフを竿に掛けるフック
【図１】
0003112441.tif 000003
【図２】
0003112441.tif 000004
【手続補正書】
【提出日】平成17年4月28日(2005.4.28)
【手続補正１】
【補正対象書類名】実用新案登録請求の範囲
【補正対象項目名】全文
【補正方法】変更
【補正の内容】
【実用新案登録請求の範囲】
【請求項１】
パンタグラフと、該パンタグラフの一部に設けられた伸び縮み自在の４本足と、該パンタグラフの一部に設けたパンタグラフを竿に掛けるためのフックと、を有した物干し作業が楽になる装置。